(57)【要約】      （修正有）【課題】複数層の平行な放射体の組み合せで、垂直ゲイン値を高め、死角を減らした左右対称のデュアル周波数アンテナ及びワイヤレスネットワーク装置を提供する。【解決手段】ワイヤレスネットワーク装置上に適応するデュアル周波数アンテナ５で、第一放射体５１１、５２１、第二放射体５１２、５２２、第三放射体５１３、５２３からなり、第一放射体は信号体を通して第二放射体と相互に連接し、第二放射体はおおよそＣ型片体で、その接続部分の所定位置には接地端及びフィード端を設置し、基板７１の接地部及び制御回路７１２とそれぞれ電気的に連接し、自由端部分と第一放射体の表面とは正投影関係で相互に重なり、第一放射体と平行で、第三放射体は導電柱を通して第二放射体と電気的に連接し、第二放射体と相互に平行で、第二と第三放射体は基板上に位置し、第一放射体は基板の外に独立してあり、第一、第二、第三放射体は、相互に平行で、しかも相互に間隔を開ける。【選択図】図６
0003162787.tif 000002
【実用新案登録請求の範囲】
【請求項１】
デュアル周波数アンテナは、基板上に設置し、しかも該デュアル周波数アンテナは、第一放射体、おおよそC型を呈する第二放射体、第三放射体、信号体からなり、
該第二放射体の接続部分の所定位置には接地端、及びフィード端を設置し、しかも該基板の接地部及び制御回路とそれぞれ電気的に連接し、該第二放射体の自由端部分と該第一放射体の表面とは正投影関係で相互に重なり、該第一放射体と平行で、
該第三放射体は、導電柱を通して該第二放射体と電気的に連接し、しかも該第二放射体と相互に平行で、
該信号体は、該第一放射体と該第二放射体に連接し、
該基板は、多層の印刷回路板で、該第二放射体と該第三放射体は、該基板の異なる層上に設置し、該第一放射体は、該基板の外に独立してあり、しかも該第一、第二、及び第三放射体は、相互に平行で、かつ相互に所定距離の間隔を開けたことを特徴とするデュアル周波数アンテナ。
【請求項２】
前記第二放射体は、信号振動を提供し、第一周波数を発することができ、該第一放射体は、信号振動を提供し、第二周波数を発することができ、こうしてデュアル周波数を備える機能を達成し、
該第一周波数の周波数帯域は、2.4GHz〜2.5GHzで、しかも該第二周波数の周波数帯域は、4.9GHz〜5.85GHzであることを特徴とする請求項１に記載のデュアル周波数アンテナ。
【請求項３】
前記第一放射体と該信号体は、導電性を備える金属薄片を一体プレス成型し、しかも相互に垂直を呈する単一パーツで、
しかも、該デュアル周波数アンテナは、相互に対応する２個のアンテナ部を含み、相互対称の方式により、それぞれ該基板の両側に設置し、しかも該２個のアンテナ部の形状は相互に対応することを特徴とする請求項１に記載のデュアル周波数アンテナ。
【請求項４】
デュアル周波数アンテナを備えるワイヤレスネットワーク装置は、基板、バス連接端、少なくとも１個のデュアル周波数アンテナからなり、
前記基板は、複数層の回路層を備える印刷回路板で、該基板上には、アースする接地部及び制御回路を設置し、該制御回路は、ワイヤレスネットワーク通信機能を提供することができ、
前記バス連接端は、該基板上の該制御回路と電気的に連接し、
少なくとも１個の前記デュアル周波数アンテナは、第一放射体、おおよそC型を呈する第二放射体、第三放射体、信号体からなり、
前記第二放射体の接続部分の所定位置には接地端及びフィード端を設置し、しかも該基板の該接地部及び該制御回路と、それぞれ電気的に連接し、該第二放射体の自由端の部分と該第一放射体の表面とは正投影関係で相互に重なり、該第一放射体と平行で、
前記第三放射体は、導電柱を通して該第二放射体と電気的に連接し、しかも該第二放射体と相互に平行で、
前記信号体は、該第一放射体と該第二放射体に連接し、
前記第二放射体と前記第三放射体は、該基板の異なる層上に設置し、該第一放射体は、該基板の外に独立してあり、しかも該第一、第二、及び第三放射体は、相互に平行で、かつ相互に所定距離の間隔を開けることを特徴とするデュアル周波数アンテナ。
【考案の詳細な説明】
【技術分野】
【０００１】
本考案はデュアル周波数アンテナに関し、特にワイヤレスネットワーク装置上に適応する左右対称のデュアル周波数アンテナ、及び該デュアル周波数アンテナを備えるワイヤレスネットワーク装置に関する。
【背景技術】
【０００２】
図１は、ワイヤレスネットワークカードなどの従来のワイヤレスネットワーク装置10の立体外観図である。
【０００３】
該ワイヤレスネットワーク装置10は、一般的には本体11、該本体11内部に位置する内部回路装置12、該本体11一端に位置するコネクター部13、該本体11上に位置し、しかも該コネクター部13の反対端に相対するアンテナ信号トランシーバー部14からなる。
【０００４】
該コネクター部13は、外付けのホスト(図示なし)に連接する。該アンテナ信号トランシーバー部14の外殼は、非金属材質により構成し、しかもワイヤレスネットワーク装置10を、外付けのホスト上に連接すると、該アンテナ信号トランシーバー部14は、外付けのホストの外部に露出し、これによりワイヤレス信号を効果的に受信/発信することができる。
【０００５】
ワイヤレスネットワーク装置の従来の内部回路装置20の模式図である図２に示すように、該ワイヤレスネットワーク装置の従来の内部回路装置20は、基板21、該基板21上に位置する制御回路22、該基板21上の所定区域を覆う接地部23、該制御回路22に電気的に連接するアンテナユニット24からなる。
図２に示す従来のアンテナユニット24中は、該基板21両側にそれぞれ位置する第一アンテナ241と第二アンテナ242を備える。
【０００６】
従来の内部回路装置20のアンテナ設計は、印刷式単極アンテナ（Printed Monopole Antenna)方式により、該基板21上に設計される。
このタイプの印刷式アンテナは、その垂直方上方へとにおける高さ差の制限を受け、異なる形状の該第一アンテナ241と該第二アンテナ242に設計することによってのみ、X−Y平面（水平方上方へと）上において、より優れた放射電場型とより高いゲインを得ることができるが、垂直Z方向のゲインにおいてはほとんど改善の余地はない。
【０００７】
しかし、今日、ワイヤレスネットワーク装置の設計トレンドは、「直立式（Verticle Stand）」設計に向っており、これにより占拠するスペースを縮小し、ワイヤレスネットワーク装置製品に、より現代的でよりハイテク感のある外観を持たせようとしている。
よって、従来の印刷式アンテナの、垂直Z方向(上方)における不良ゲインは、直立式ワイヤレスネットワーク装置のニーズを満たすことはできない。
【０００８】
図２に示す従来の印刷式アンテナユニット24の第一アンテナは、図３に示すようにX−Y平面上におけるテストで得られた放射電場型図が得られる。この図３の放射電場型図から分かるように、該第一アンテナ241の垂直方向（Vertical）上における最大ゲイン値は、わずかに−15.89dBiであり、消費者が受け入れ可能な最低ライン（一般に要求されるゲイン値は少なくとも−10dBi以上)よりはるかに低い。
すなわち、一般市場の高性能アンテナに対する要求に鑑みれば、従来の技術はさらなる改良が求められる。
本考案は、従来のアンテナ及び該アンテナを具えるワイヤレスネットワーク装置の上記した欠点に鑑みてなされたものである。
【先行技術文献】
【特許文献】
【０００９】
【特許文献１】実用新案登録第３１３０３３８号公報
【考案の概要】
【考案が解決しようとする課題】
【００１０】
本考案が解決しようとする課題は、外部に独立しており、しかも対称の２個の放射体に、多層基板内に位置する複数層の平行な放射体を組み合わせ、相互に垂直に連通され、しかも交互に振動し高、低周波数帯域の周波数を発し、こうして垂直ゲイン値を高め、死角を減らすことができる高性能なデュアル周波数アンテナを提供することである。
【課題を解決するための手段】
【００１１】
上記課題を解決するため、本考案は下記のデュアル周波数アンテナ及び該デュアル周波数アンテナを備えるワイヤレスネットワーク装置を提供する。
デュアル周波数アンテナの一実施例は、相互に対応する２個のアンテナ部からなり、
該各アンテナ部はそれぞれ、第一放射体、第二放射体、第三放射体、及び信号体からなり、
該第一放射体は、該信号体を通して、該第二放射体と相互に連接し、
該第二放射体は、おおよそC型片体で、その接続部分の所定位置には接地端（ground）及びフィード端を設置し、しかも基板の接地部及び制御回路と電気的に連接し、自由端部分と該第一放射体の表面とは正投影関係で相互に重なり、該第一放射体と平行で、
該第三放射体は、導電柱を通して該第二放射体と電気的に連接し、しかも該第二放射体と相互に平行で、
該基板は、多層の印刷回路板で、該第二放射体と該第三放射体は、該基板内に位置し、該第一放射体は、該基板の外に独立してあり、しかも該第一、第二、及び第三放射体は、相互に平行で、かつ相互に所定距離の間隔を開け、
該第三放射体と該第二放射体の間の信号振動は第一周波数を発生し、該第一放射体と該第二放射体との間の信号振動は、第二周波数を発生し、こうしてデュアル周波数を備える機能を達成し、
該第一周波数は、低周波数の周波数帯域で、その周波数範囲は2.4GHz〜2.5GHzで、該第二周波数は、高周波数の周波数帯域で、その周波数範囲は4.9GHz〜5.85GHzで、
該第一三放射体と該第二三放射体、及び該二三放射体と該第三放射体は、交互振動方式に設置し、第一周波数と第二周波数を発生することができ、
これにより、本考案デュアル周波数アンテナを備えるワイヤレスネットワーク装置は、より優れた放射電場型とより高い垂直方向ゲインを得ることができ、アンテナの性能を大幅に向上させることができる。
【考案の効果】
【００１２】
本考案のデュアル周波数アンテナは、外部に独立しており、しかも対称の２個の放射体に、多層基板内に位置する複数層の平行な放射体を組み合わせ、相互に垂直に連通され、しかも交互に振動し高、低周波数帯域の周波数を発し、こうして垂直ゲイン値を高め、死角を減らすことができる。
【図面の簡単な説明】
【００１３】
【図１】典型的なワイヤレスネットワーク装置の立体外観図である。
【図２】ワイヤレスネットワーク装置の従来の内部回路装置の模式図である。
【図３】図２に示す従来のアンテナユニットの第一アンテナのX−Y平面上におけるテストにより得られた放射電場型図である。
【図４】本考案のデュアル周波数アンテナの立体分解模式図である。
【図５】本考案のデュアル周波数アンテナの立体組合せ模式図である。
【図６】本考案のデュアル周波数アンテナと基板との連結模式図である。
【図７】本考案のデュアル周波数アンテナを備えるワイヤレスネットワーク装置の立体構造模式図である。
【図８】本考案のデュアル周波数アンテナを備えるワイヤレスネットワーク装置の立体構造の別の視角からの模式図である。
【図９】本考案のデュアル周波数アンテナの左アンテナ部を周波数帯域範囲(2.4〜5.85GHz)に応用したX−Y平面上でのテストにより得られた放射電場型図である。
【図１０】本考案のデュアル周波数アンテナの右アンテナ部を周波数帯域範囲(2.4〜5.85GHz)に応用したX−Y平面上でのテストにより得られた放射電場型図である。
【図１１】本考案のデュアル周波数アンテナの左アンテナ部を周波数帯域範囲(2.4〜5.85GHz)内に応用し、リターンロスをテストした図である。
【図１２】本考案のデュアル周波数アンテナの右アンテナ部を周波数帯域範囲(2.4〜5.85GHz)内に応用し、リターンロスをテストした図である。
【考案を実施するための形態】
【００１４】
以下に図面を参照しながら本考案を実施するための最良の形態について詳細に説明する。
【実施例】
【００１５】
本考案のデュアル周波数アンテナ及び該デュアル周波数アンテナを備えるワイヤレスネットワーク装置の主要原理について、以下に説明する。
本考案のデュアル周波数アンテナは、一体プレス成型し左、右両側に露出し、しかも独立した放射体を、対称の方式で、内部に少なくとも別の２個の放射体を備える基板（多層式印刷回路板）上に結合して電気的に連接するものである。
【００１６】
２個の対応するアンテナユニットを設置する基板は、USB連接端と共に、デュアル周波数を備えるワイヤレスネットワーク装置を構成する。
それは、同時に高、低周波数帯域を備え、しかもより高い垂直方向ゲインを得ることができ、かつ製造及び組み立てにおいてより便利で、またさらにコストを削減することができる。
【００１７】
本考案デュアル周波数アンテナ5を備えるワイヤレスネットワーク装置7の立体構造模式図及び別の視角からの模式図である図７、８に示すように、該ワイヤレスネットワーク装置7は、基板71及びUSB連接端72からなる。
該基板71は、誘電材料により構成する多層式印刷回路板で、しかもやや扁平状を呈する矩形で、図６に示すように、該基板71はさらに、接地部（GND）711、制御回路712、複数層の回路層713を備える。
【００１８】
前記接地部711は、接地(GND)の機能を提供し、しかも少なくとも該基板71の一つの回路層713上の一部の区域を覆う。
前記制御回路712は、前記基板71の一つの回路層713上に設置し、回路、若干のICパーツ、若干の電子パーツを備え、ワイヤレスネットワーク伝送機能を提供することができる。
ここでいう制御回路712は従来の技術によるものを使用しており、しかも本考案の技術特徴ではないため、ここではその詳細な構成について記載しない。
【００１９】
本考案のデュアル周波数アンテナの立体分解及び立体組合せ模式図である図４、５に示すように、本考案のデュアル周波数アンテナ5の一実施例は、相互に対応する２個のアンテナ部、つまり左アンテナ部51及び右アンテナ部52からなる。
しかも、該各アンテナ部は、それぞれさらに第一放射体511、521、第二放射体512、522、第三放射体513、523、信号体514、524、導電柱515、525を備える。
該左、右アンテナ部51、52において、該第一放射体511、521は、それぞれ金属片状の信号体514、524を通して、該第二放射体512、522と相互に連接し、しかも該第一放射体511、521と該第二放射体512、522は、おおよそ平行状態を呈する。
【００２０】
本実施例において、該２個の信号体514、524それぞれは、プレス製造工程により屈折し、第一放射体511、521の一端から延伸する金属片により構成するため、該第一放射体511、521とは相互に90度の垂直を呈し、しかも一体の単一パーツを呈する。
しかも、該２個の信号体514、524の下端において、それぞれ係合構造を延伸し、これにより２個の第一放射体511、521を基板上に係合して定位し、該２個の第一放射体511、521は、それぞれ該２個の信号体514、524により基板上表面から離される。
【００２１】
本実施例において、第二放射体512、522は、該基板71の表面上、或いは挟層中に形成される。
よって、該信号体514、524の高さにより、それぞれ該第一放射体511、521と該第二放射体512、522とは、相互に所定の距離Hの間隔を開ける。
該左、右アンテナ部51、52において、該２個の第三放射体513、523は、基板の底面上、或いは中間挟層中に形成し、それぞれ該２個の導電柱515、525と該２個の第二放射体512、522を通して、相互に電気的に連接し、該第二放射体512、522と相互に平行を呈する。
【００２２】
本考案において、該第一放射体511、521は、信号交互振動を提供し、第二周波数を発することができる。
該第二周波数の周波数帯域は、おおよそ4.9GHz〜5.85GHzで、つまり一般にワイヤレスネットワーク通信に適用される高周波数帯域である。
該第二放射体512、522は、信号交互振動を提供し、第一周波数を発生することができる。
該第一周波数の周波数帯域は、おおよそ2.4GHz〜2.5GHzで、つまり一般にワイヤレスネットワーク通信に適用する通信周波数帯域である。
【００２３】
すなわち、本考案デュアル周波数アンテナの実施例において、該第二放射体512、522と該第三放射体513、523は共に、印刷回路の技術により、多層回路板の異なる回路層中に直接設置する。
該第三放射体513、523は、それぞれ該導電柱515、525（すなわち、一般的な多層式印刷回路板内部の各回路層間において、電気的に連接に用いる導通孔）を通して、該第二放射体512、522と電気的に連接する。
該第三放射体513、523は、該導電柱515、525の高さhの間隔を開け、該第二放射体512、522と相互に平行で、しかも該第一放射体511、521と平行に設置する。
【００２４】
図６に、図４、５を合わせて示すように、本考案デュアル周波数アンテナ5の該左、右アンテナ部51、52は、相互対称の方式により、該基板71内の該回路層713の両側にそれぞれ設置し、しかも該左、右アンテナ部51、52の形状は、相互に対応している。
該第一放射体511、521は、導電性を備える金属薄板（銅、鉄、アルミニウム等）で、プレス一体成型の製造工程により屈折させる単一パーツで、よって、屈折、湾曲部以外は、ほとんど相同の厚みtを備え、しかも独立して該基板71の外側に位置する。
【００２５】
しかも、該２個の信号体514、524の下端において、それぞれ係合構造を延伸し、これにより該基板71上に位置する嵌合孔に係合する。
こうして、該２個の第一放射体511、521を該基板71上に係合して定位し、これにより該２個の第一放射体511、521は、それぞれ該２個の信号体514、524により該基板71の表面上から離される。
【００２６】
該第二放射体512、522は、おおよそC型を呈し、その接続部分5121、5221の両末端所定位置にはそれぞれ接地端51211、52211及びフィード端51212、52212を設置する。
しかも、該基板71内の、該接地部711及び該制御回路712を備える該回路層713と、それぞれ電気的に連接する。
【００２７】
該第二放射体512、522は、該接続部分5121、5221の該フィード端51212、52212から延伸を始め、細長いC型構造を呈する。
これにより、該C型構造末端に位置する自由端5122、5222部分は、該第一放射体511、521の表面と正投影関係で相互に重なり、該第一放射体511、521と平行である。
該フィード端51212、52212は、溶接、或いは金属線連接の方式により、フィード線714を通して、該回路層713内の該制御回路712と電気的に連接し、信号伝送の機能を提供する。
【００２８】
本実施例において、第二放射体512、522は、該基板71の表面上、或いは挟層中に形成される。
該第三放射体513、523は、導電性質を備える金属薄片、或いは印刷回路技術により該基板71のある層上に設置する。
しかも、該導電柱515、525を通して、該第二放射体512、522と電気的に連接する。
該第一放射体511、521、第二放射体512、522、及び第三放射体513、523は、それぞれ相互に平行で、かつ所定距離の間隔を隔て、こうして間隔を備えた三層放射体を形成する。
【００２９】
本考案のデュアル周波数アンテナを備えるワイヤレスネットワーク装置の実施例の立体図、及び別の視角からの立体図である図７、８に示すように、本実施例において、該デュアル周波数アンテナ5の該左、右アンテナ部51、52は、それぞれ該ワイヤレスネットワーク装置7該基板71の同一端面に設置し、しかも該基板71上でそれぞれ独立し、相互に対称である。
【００３０】
該制御回路712は、該基板71の１個の回路層713上に設置し、回路、若干のICパーツ、若干の電子パーツを備え、802.11a、802.11b、802.11g、802.11n或いはウルトラワイドバンド（UWB)等通信プロトコルに符合するワイヤレスネットワーク伝送機能を提供することができる。
ここでいう制御回路712は、従来の技術によるものを使用しており、しかも本考案の技術特徴ではないため、ここではその詳細な構成について記載しない。
【００３１】
該デュアル周波数アンテナ5は、該ワイヤレスネットワーク装置7の該基板71上に設置し、該左、右アンテナ部51、52の該第一放射体511、521は、該信号体514、524を通して、該基板71一端の両側上にそれぞれ係合し、それぞれ該基板71内の該第二放射体512、522と電気的に連接する。
該信号体514、524の表面は、該基板71の表面におおよそ垂直で、さらにこれにより該第一放射体511、521と該基板71とは、おおよそ平行状態を呈する。
【００３２】
該ワイヤレスネットワーク装置7の該USB(Universal Serial Bus)連接端72は、該基板71上の該制御回路712と電気的に連接する。
該USBの伝送規格は、USB2.0、USB3.0、或いは他の伝送インターフェースのバスである。
該ワイヤレスネットワーク装置7はさらに、ブルートゥース装置（図示なし）を含み、該制御回路712と電気的に連接し、これによりブルートゥース（Bluetooth）伝送の機能を達成することもできる。
ブルートゥース技術は、従来のもので、しかもワイヤレス通信技術に広く応用されているため、ここでは詳述しない。
【００３３】
本考案のデュアル周波数アンテナの左アンテナ部のX−Y平面上におけるテストにより得られた放射電場型図である図９に示すように、それは第一周波数（周波数区間は、2.4GHz〜2.5GHz）、及び第二周波数（周波数区間は、4.9GHz〜5.85GHz）を含む。
本考案のデュアル周波数アンテナの右アンテナ部のX−Y平面上におけるテストにより得られた放射電場型図である図１０に示すように、それは第一周波数（周波数区間は、2.4GHz〜2.5GHz）、及び第二周波数（周波数区間は、4.9GHz〜5.85GHz）を含む。
【００３４】
以下の[表一]に示すように、本考案のデュアル周波数アンテナの該左、右アンテナ部の、第一周波数（低周波数）と第二周波数（高周波数）における、各ゲイン?(dBi)と効率(%)のテスト数値を[表一]に示す。
【００３５】
[表一]
0003162787.tif 000003
【００３６】
図９の左アンテナ部放射電場型図、及び上記の[表一]により明らかなように、該左アンテナ部51を、低周波数の第一周波数(2.4GHz〜2.5GHz)に応用する時、その垂直方向（Vertical）上の最大ゲイン値は、0.77dBiに達し、しかも効率は、最高で32.4％に達し、高周波数の第二周波数(4.9GHz〜5.85GHz)に応用する時、その垂直方向（Vertical）上の最大ゲイン値は、4.18dBiに達し、しかも効率は、最高で54.04％に達する。
【００３７】
図１０の右アンテナ部放射電場型図、及び上記の[表一]により明らかなように、該右アンテナ部52を、低周波数の第一周波数(2.4GHz〜2.5GHz)に応用する時、その垂直方向（Vertical）上の最大ゲイン値は、0.36dBiに達し、しかも効率は、最高で37％に達し、高周波数の第二周波数(4.9GHz〜5.85GHz)に応用する時、その垂直方向（Vertical）上の最大ゲイン値は、3.42dBiに達し、しかも効率は、最高で53.63％に達する。
【００３８】
図９、及び上記の[表一]により明らかなように、本考案のデュアル周波数アンテナ5の該左、右アンテナ部51、52の、X−Y平面上におけるテストにより得られたそれぞれのゲイン効果は、図２、３に示す従来の技術におけるテストで得られたゲイン値−15.89dBiよりはるかに高い。
【００３９】
しかも、本考案のデュアル周波数アンテナ5の該左、右アンテナ部51、52のゲイン値放射電場型図上において、第一周波数、第二周波数の放射電場型図共に、おおよそ円形に近い形状を呈する。
これはさまざまな角度及び方向すべてに平均しており、死角がないことを示しており、よってより良い通信品質を提供することができる。
【００４０】
以下の[表二]は、本考案のデュアル周波数アンテナの該左、右アンテナ部それぞれのX−Y平面上におけるテストにより得られた第一周波数と第二周波数の各リターンロスのテスト数値を[表二]に示す。
【００４１】
[表二]
0003162787.tif 000004
【００４２】
図１１、１２は、本考案デュアル周波数アンテナの左、右アンテナ部のリターンロステストにより得られた図形である。
図１１により明らかなように、本考案該デュアル周波数アンテナ5の該左アンテナ部51の、2.4GHz〜2.5GHzの該第一周波数(低周波数)間におけるリターンロスは、おおよそ−13.462dB〜−22.146dBの間に介在する。
該左アンテナ部51の、4.90GHz〜5.850GHzの該第二周波数(高周波数)間におけるリターンロスは、おおよそ−12.802dB〜−20.449dBの間に介在する。
【００４３】
図１２より明らかなように、本考案該デュアル周波数アンテナ5の該右アンテナ部52の、2.4GHz〜2.5GHzの該第一周波数(低周波数)間におけるリターンロスは、おおよそ−13.787dB〜−26.313dBの間に介在する。
該右アンテナ部52の、4.90GHz〜5.850GHzの該第二周波数(高周波数)間におけるリターンロスは、おおよそ−14.346dB〜−23.252dBの間に介在する。
【００４４】
上記のように、本考案のデュアル周波数アンテナの左、右アンテナ部51、52は、低周波数の第一周波数（2.4GHz、2.45GHz、2.5GHz）及び高周波数の第二周波数（4.9GHz、5.15GHz、5.25GHz、5.35GHz、5.725GHz、5.85GHz）等周波数帯において、そのリターンロスは共に、−10dB以下で、一般市場の高性能アンテナ設計に対する要求を十分に満たしている。
【００４５】
すなわち、本考案アンテナ5の該左、右アンテナ部51、52は、より良好で、安定したデュアル周波数ワイヤレス通信品質と伝送効率を提供することができ、製造に便利で迅速化も図れ、しかもワイヤレスネットワーク装置7の該基板71上への組立ては便利で、コストを引き下げることができ、しかもワイヤレスネットワーク装置7の全体体積を縮小することもできる。
【００４６】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００４７】
本考案は実用新案の要件である新規性を備え、従来の同類製品に比べ十分な進歩を有し、実用性が高く、社会のニーズに合致しており、産業上の利用価値は非常に大きい。
【符号の説明】
【００４８】
10  ワイヤレスネットワーク装置
11  本体
12  内部回路装置
13  コネクター部
14  アンテナ信号トランシーバー部
20  従来の内部回路装置
21  基板
22  制御回路
23  接地部
24  アンテナユニット
241  第一アンテナ
242  第二アンテナ
5  デュアル周波数アンテナ
51  左アンテナ部
52  右アンテナ部
511、521  第一放射体
512、522  第二放射体
5121、5221  接続部分
51211、52211  接地端
51212、52212  フィード端
5122、5222  自由端
513、523  第三放射体
514、524  信号体
515、525  導電柱
7  ワイヤレスネットワーク装置
71  基板
711   接地部
712  制御回路
713  回路層
714  フィード線
72  USB連接端
【図１】
0003162787.tif 000005
【図２】
0003162787.tif 000006
【図３】
0003162787.tif 000007
【図４】
0003162787.tif 000008
【図５】
0003162787.tif 000009
【図６】
0003162787.tif 000010
【図７】
0003162787.tif 000011
【図８】
0003162787.tif 000012
【図９】
0003162787.tif 000013
【図１０】
0003162787.tif 000014
【図１１】
0003162787.tif 000015
【図１２】
0003162787.tif 000016